(57)【特許請求の範囲】
【請求項１】
血圧カフであって、
エッジを有するアラインメント用タブ部と、
スリーブと、
前記スリーブ内に配置された空気室と、
を有し、
前記空気室は、第１の幅と、第１の端部と、第２の端部とを有する第１の長方形部分と、前記第１の長方形部分の前記第２の端部から、前記アラインメント用タブ部から離れる方向に幅が次第に大きくなるように形成されたテーパー部とを有するものであり、
前記アラインメント用タブ部の前記エッジから前記第１の長方形部分の前記第２の端部までの長さは、前記血圧カフの最小腕周囲長にほぼ等しいものであり、
前記血圧カフは、第１の周囲長と、第２の周囲長とを含む所定の範囲の腕周囲長に適合するサイズに設定され、前記第２の周囲長は前記第１の周囲長より大きいものであり、
前記第１の幅は、前記第１の周囲長と前記第１の周囲長のＬｏｇの差の１／２（Ｗ１＝（Ｃ１−ＬＯＧ（Ｃ１））／２）にほぼ等しいものである、
血圧カフ。
【請求項２】
請求項１記載の血圧カフにおいて、前記空気室は、さらに、
前記第１の幅よりも大きい第２の幅を有する第２の長方形部分を含み、前記テーパー部は前記第１の長方形部分と前記第２の長方形部分との間に亘って延長するものであり、前記第２の幅は、前記第２の周囲長と前記第２の周囲長のＬｏｇの差の１／２（Ｗ２＝（Ｃ２−ＬＯＧ（Ｃ２））／２）にほぼ等しいものである、血圧カフ。
【請求項３】
請求項１記載の血圧カフにおいて、前記テーパー部は、直線テーパーである、血圧カフ。
【請求項４】
請求項１記載の血圧カフにおいて、前記テーパー部は、曲線テーパーである、血圧カフ。
【請求項５】
請求項１記載の血圧カフにおいて、前記血圧カフは、
約２２センチメートル〜２６センチメートルの腕周囲長に適合するように構成されており、その場合、前記アラインメント用タブ部の前記エッジから前記第１の長方形部分の前記第２の端部までの長さは約２２センチメートルとなるものである、血圧カフ。
【請求項６】
請求項１記載の血圧カフにおいて、前記血圧カフは、
約２７センチメートル〜３４センチメートルの腕周囲長に適合するように構成されており、その場合、前記アラインメント用タブ部の前記エッジから前記第１の長方形部分の前記第２の端部までの長さは約２７センチメートルとなるものである、血圧カフ。
【請求項７】
請求項１記載の血圧カフにおいて、前記血圧カフは、
約３５センチメートル〜４４センチメートルの腕周囲長に適合するように構成されており、その場合、前記アラインメント用タブ部の前記エッジから前記第１の長方形部分の前記第２の端部までの長さは約３５センチメートルとなるものである、血圧カフ。
【請求項８】
血圧カフであって、
スリーブと、
前記スリーブ内に配置された空気室と、
を有し、
前記空気室は、第１の幅を有する第１の長方形部分と、前記第１の幅よりも大きい第２の幅を有する第２の長方形部分と、前記第１の長方形部分と前記第２の長方形部分との間に亘って延長するテーパー部とを含み、
前記血圧カフは、第１の周囲長と、第２の周囲長とを含む所定の範囲の腕周囲長に適合するサイズに設定され、前記第２の周囲長は前記第１の周囲長より大きいものであり、
前記第１の幅は、前記第１の周囲長と前記第１の周囲長のＬｏｇの差の１／２（Ｗ１＝（Ｃ１−ＬＯＧ（Ｃ１））／２）にほぼ等しいものであり、
前記第２の幅は、前記第２の周囲長と前記第２の周囲長のＬｏｇの差の１／２（Ｗ２＝（Ｃ２−ＬＯＧ（Ｃ２））／２）にほぼ等しいものである、
血圧カフ。
【請求項９】
請求項８記載の血圧カフにおいて、前記テーパー部は、直線テーパーである、血圧カフ。
【請求項１０】
請求項８記載の血圧カフにおいて、前記テーパー部は、曲線テーパーである、血圧カフ。
【発明の詳細な説明】
【技術分野】
【０００１】
この発明は、血圧測定に関し、特に、患者の腕周囲上で正確な測定を提供する血圧カフ（血圧計）に関するものである。
【背景技術】
【０００２】
患者の血圧は、ほとんどの場合、血圧計、すなわち血圧カフ（ｂｌｏｏｄ  ｐｒｅｓｓｕｒｅ  ｃｕｆｆ）を使用して測定される。この用語は、スリーブ（カフ）内に収納され、圧力計に接続される空気室から成る装置のことを指す際に使われる。前記カフは患者の上腕に巻かれ、空気室は患者の上腕動脈を通う血流を制限するために空気注入される。前記血圧計は、血流が最初に再開する時点での圧力（収縮期血圧、またはＳＢＰとして知られている）、及び血流の抵抗がなくなった時点での圧力（拡張期血圧、またはＤＢＰとして知られている）を計測するために使用される。これらの事象は、聴診器（コロトコフ音の出現及び消失を聴くこと）を使用することによって手動で確認される。
【０００３】
現在、典型的な血圧カフ（ｂｌｏｏｄ  ｐｒｅｓｓｕｒｅ  ｃｕｆｆ）は、上腕の周囲に亘る長さに調節され、さらに固定された幅の空気室を含むものである。これは、前記血圧計によって測定される前記ＳＢＰ及び前記ＤＢＰは、腕周囲に対する空気室の幅の割合が変化するに従って変わるという事実にかかわらず、にである。結果として、その腕の周囲長が既定のカフサイズの範囲内に収まらない患者は不正確な血圧測定値を得ることになる。この問題を緩和しようと、米国心臓病学会（ＡＨＡ）は、小児から身体の大きな大人までの患者に対する（腕周囲に亘る７つの異なる長さに対応する）７つの異なったサイズのカフを使用することを推奨してきた。しかしながら、夫々のカフサイズは一定の幅の空気室を有するので、たとえ適切なサイズのカフでも血圧測定値でプラスマイナス５％に及ぶエラーが生じる結果となり得る。さらに、前記ＡＨＡの推薦では適切なカフサイズを選ぶ前に患者の腕を測定することが必要なため、多くの施術者（例えば、病院で、病棟で、及び／または診療室で）は、前記推薦を無視し、ほとんどの血圧測定で１２センチメートル幅の空気室の付いた標準カフを使用する。これは、いくつかの検査において約５〜１０ミリメートル水銀柱で、前記ＳＢＰ及び前記ＤＢＰに対してより大きなエラーを生じる結果となり得る。そのようなエラーは、特に血圧が高血圧症の治療を処方されるカットオフレベルに近い患者にとって、避けられるべき重大な誤診につながりやすい。さらに、高血圧の薬剤を処方するために使用されるカットオフレベルで、高血圧診断の際に高血圧側に生じる血圧測定のエラーは、患者がその必要としない薬剤を受けるという結果を招く可能性がある。これは費用が加算されると共に患者が不必要に投薬治療されるという結果となる。実際の血圧よりも低く測定された血圧測定のエラーは、血圧薬剤を受けるべき患者がそのような薬剤を受けられず、それにより高血圧症が未治療であることによって健康を害してしまうという結果となる。
【０００４】
患者の腕周囲に対する動脈を覆う空気室の幅の割合は、動脈を適切に閉塞するため、約４０％の範囲であるべきであると提案されてきた。加えて、正確な計測を提供するためには、前記空気室（空気室はそれ自体で重なり合わないように）は少なくとも腕の約８０％で、及び腕の１００％以下で取り巻くべきであると提案されてきた。上記の一般臨床の場での議論に基づいて、血圧カフ（ｂｌｏｏｄ  ｐｒｅｓｓｕｒｅ  ｃｕｆｆ）の正確性且つ、患者の腕周囲に亘る長さと一致させるという両方の要件を満たす必要性がある。
この出願の発明に関連する先行技術文献情報としては、以下のものがある。
（先行技術文献）
（特許文献）
（特許文献１）  米国特許第３６９，９４５号明細書
（特許文献２）  米国特許第１，０６３，２８７号明細書
（特許文献３）  米国特許第２，８４１，１４９号明細書
（特許文献４）  米国特許第３，５１３，８３１号明細書
（特許文献５）  米国特許第３，６６９，０９６号明細書
（特許文献６）  米国特許第４，３７８，００９号明細書
（特許文献７）  米国特許第４，４６６，９５８号明細書
（特許文献８）  米国特許第４，５４２，７４３号明細書
（特許文献９）  米国特許第４，７１６，９０６号明細書
（特許文献１０）  米国特許第４，８９０，６２５号明細書
（特許文献１１）  米国特許第４，９０１，７３２号明細書
（特許文献１２）  米国特許第５，３５４，４５０号明細書
（特許文献１３）  米国特許第５，６６０，１８２号明細書
（特許文献１４）  米国特許第５，８７１，４９９号明細書
（特許文献１５）  米国特許第６，１７１，２７１号明細書
（特許文献１６）  米国特許第６，８６６，６３６号明細書
（特許文献１７）  米国特許第７，４２７，２６８号明細書
（特許文献１８）  米国特許第８，３６１，１０７号明細書
（特許文献１９）  米国特許出願公開第２００４／００３４３０８号明細書
（特許文献２０）  米国特許出願公開第２００４／００９２８３３号明細書
（特許文献２１）  米国特許出願公開第２００７／０１３５７２０号明細書
（特許文献２２）  米国特許出願公開第２００９／００４３２１５号明細書
（特許文献２３）  米国特許出願公開第２０１２／０１３０４１９号明細書
（特許文献２４）  米国特許出願公開第２０１３／０１０９９８１号明細書
（特許文献２５）  国際公開第２０１６／０４４４５９号
（非特許文献）
（非特許文献１）  ＦＥＤＥＲ  ｅｔ  ａｌ．，Ｔａｐｅｒｅｄ  Ｂｌｏｏｄ  Ｐｒｅｓｓｕｒｅ  Ｃｕｆｆ  ｆｏｒ  Ｖａｒｙｉｎｇ  Ａｒｍ  Ｃｉｒｃｕｍｆｅｒｅｎｃｅｓ，Ｔｈｅ  Ｆｉｓｃｈｅｌｌ  Ｄｅｐａｒｔｍｅｎｔ  ｏｆ  Ｂｉｏｅｎｇｉｎｅｅｒｉｎｇ（Ａ．Ｊａｍｅｓ  Ｃｌａｒｋ  Ｓｃｈｏｏｌ  ｏｆ  Ｅｎｇｉｎｅｅｒｉｎｇ  ａｎｄ  Ｕｎｉｖｅｒｓｉｔｙ  ｏｆ  Ｍａｒｙｌａｎｄ），Ｍａｙ  １８，２０１２，Ｐａｇｅ  １．
（非特許文献２）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｄａｔｅｄ  Ｄｅｃｅｍｂｅｒ  ２８，２０１５  ｆｏｒ  ＰＣＴ／ＵＳ２０１５／５０４８９．
（非特許文献３）  Ｅｕｒｏｐｅａｎ  Ｓｅａｒｃｈ  Ｒｅｐｏｒｔ  ａｎｄ  Ｗｒｉｔｔｅｎ  Ｏｐｉｎｉｏｎ  ｄａｔｅｄ  Ｍａｒｃｈ  １７，２０１５  ｆｏｒ  ＥＰ  １４１８４９１３．３
（非特許文献４）  ＭＡＸＷＥＬＬ，ＧＥＯＲＧＥ  ｅｔ  ａｌ．，"Ｃｏｍｐａｒｉｓｏｎ  ｏｆ  ｔｈｅ  Ｃｏｎｉｃａｌ  Ｃｕｆｆ  ａｎｄ  ｔｈｅ  Ｓｔａｎｄａｒｄ  Ｒｅｃｔａｎｇｕｌａｒ  Ｃｕｆｆ"，Ｉｎｔｅｒｎａｔｉｏｎａｌ  Ｊｏｕｒｎａｌ  ｏｆ  Ｅｐｉｄｅｍｉｏｌｏｇｙ，Ｖｏｌｕｍｅ  １４，ｎｕｍｂｅｒ  ３，（１９８５），４６８−４７２
（非特許文献５）  ＧＯＴＫＩＮ，ＪＯＥＬ  ｅｔ  ａｌ．，"Ｄｙｎａｓｌｅｅｖｅ  −  Ａ  Ｂｌｏｏｄ  Ｐｒｅｓｓｕｒｅ  Ｃｕｆｆ  Ｓｕｉｔａｂｌｅ  ｆｏｒ  Ｏｂｅｓｅ  Ｐａｔｉｅｎｔｓ"，Ｄｕｋｅ  Ｄｉｅｔ  ａｎｄ  Ｆｉｔｎｅｓｓ  Ｃｅｎｔｅｒ，（Ｆｅｂｒｕａｒｙ  １３，２００７）
【発明の概要】
【課題を解決するための手段】
【０００５】
本明細書に記載の実施形態は、血圧を正確に測定するための血圧カフ（ｂｌｏｏｄ  ｐｒｅｓｓｕｒｅ  ｃｕｆｆ）に関する。実施形態において、前記血圧カフ（ｂｌｏｏｄ  ｐｒｅｓｓｕｒｅ  ｃｕｆｆ）は、エッジを有するアラインメント用タブ部、スリーブ、及びスリーブ内に配置された空気室を含む。空気室は、第１の幅、第１の端部及び第２の端部を有する第１の長方形部分、及び第１の長方形部分の第２の端部から前記アラインメント用タブ部から離れる方向に幅が次第に大きくなるテーパー部を含む。前記アラインメント用タブ部の前記エッジから前記第１の長方形部分の第２端部への長さは、前記血圧カフ（ｂｌｏｏｄ  ｐｒｅｓｓｕｒｅ  ｃｕｆｆ）の最小腕周囲値にほぼ等しい。
【０００６】
本明細書に記載の実施形態は、スリーブ及びスリーブ内に配置される空気室を含む血圧カフ（ｂｌｏｏｄ  ｐｒｅｓｓｕｒｅ  ｃｕｆｆ）に関する。前記空気室は第１の幅を有する第１の長方形部分、第２の幅を有する第２の長方形部分、そして前記第２の幅は、前記第１の幅より大きく、第１の長方形部分と第２の長方形部分の間に延びるテーパー部を含む。前記テーパー部は、直線テーパーまたは湾曲テーパーであっても良い。
【図面の簡単な説明】
【０００７】
【図１】図１は、直線テーパーの空気室を有する血圧カフ（ｂｌｏｏｄ  ｐｒｅｓｓｕｒｅ  ｃｕｆｆ）の概略図を示すものである。
【図２】図２は、正確に測定するため、前記空気室が患者の上腕動脈の適切な位置に接触するように患者の腕上で前記血圧カフ（ｂｌｏｏｄ  ｐｒｅｓｓｕｒｅ  ｃｕｆｆ）を調整する方法の概略図を示すものである。
【図３】図３は、曲線テーパーの空気室及びアラインメント用タブ部を備える血圧カフ（ｂｌｏｏｄ  ｐｒｅｓｓｕｒｅ  ｃｕｆｆ）の概略図を示すものである。
【図４】図４は、小、中、及び大のカフの直線テーパーを使用して、前記空気室のエッジから縦（長さ）方向の距離に対応する空気室の幅を示すグラフである。
【図５】図５は、小、中、及び大のカフの直線テーパーを使用して、前記空気室のエッジから縦（長さ）方向の距離に対応する空気室の幅を示すグラフである。
【図６】図６は、小、中、及び大のカフの直線テーパーを使用して、前記空気室のエッジから縦（長さ）方向の距離に対応する空気室の幅を示すグラフである。
【図７】図７は、小、中、及び大のカフの曲線テーパーを使用して、前記空気室のエッジから縦（長さ）方向の距離に対応する空気室の幅を示すグラフである。
【図８】図８は、小、中、及び大のカフの曲線テーパーを使用して、前記空気室のエッジから縦（長さ）方向の距離に対応する空気室の幅を示すグラフである。
【図９】図９は、小、中、及び大のカフの曲線テーパーを使用して、前記空気室のエッジから縦（長さ）方向の距離に対応する空気室の幅を示すグラフである。
【発明を実施するための形態】
【０００８】
本願発明の具体的な実施形態は、前記図面を参照して以下に説明されており、参照番号は同一のものか機能的に類似の構成要素を記す。
【０００９】
以下の詳細な記載は、本質的に単なる例示であり、前記発明または前記発明の適用及び使用を限定しようとするものではない。さらに、前述の技術分野、背景、簡潔な要約または次の詳細な記載において提示される明確なまたは暗示的な理論に拘束されない。「血圧計」及び「血圧カフ（ｂｌｏｏｄ  ｐｒｅｓｓｕｒｅ  ｃｕｆｆ）」は、この明細書中では同じ意味で使用され、互換性のある用語として当業者によって理解されるものである。
【００１０】
図１は、空気室１０２及びアラインメント用タブ部１０４を有する血圧カフ（ｂｌｏｏｄ  ｐｒｅｓｓｕｒｅ  ｃｕｆｆ）１００の概略図を示す。空気室１０２は、空気注入可能で、狭い長方形部分１０６、直線テーパー部１０８、及び幅広い長方形部分１１０を含む。空気室１０２は、ＰＶＣ合成ゴム、プラスチック、または一般的に空気に不透過である他の類似材料から構成される。空気室１０２は二層から成り、空気を保持するためのポケットを形成する。空気室１０２はスリーブ１１２内に収納されるので、図１では点線で示される。チューブ１１４は、第１端部で空気室１０２の内ポケットに接続され、第２端部で手で握る送気球１１６に接続される。送気球１１６内の開口部１１８から大気中の空気が送気球１１６に入り込むようになっている。送気球１１６が握られる際に、空気はチューブ１１４を通って空気室１０２の中に移され、空気室１０２が膨らむ。第２のチューブ１２０は、空気室１０２の内ポケットに接続される第１端部を有し、圧力計（図示せず）に接続される第２端部（図示せず）を有する。
【００１１】
図１の実施形態において、カフ１００の反対側上のフック及びループ部分１２２及び１２４は、患者の腕周りにカフ１００を固定するために使用される。しかしながら、患者の腕周りに巻かれた時点で一定の位置に留まるようにカフをそのままの状態で固定するものであれば、他の手段でも使用可である。加えて、図１は空気室１０２の形状に対応するスリーブ１１２の形状を示しているが、スリーブ１１２が空気室１０２よりも大きいならばいかなる形状でも良く、空気室１０２がスリーブ１１２内で激しく動かないように結合するか、または他の手段を使うことも可能である。スリーブ１１２は、ナイロンまたは布地、または十分に柔軟な別の材料から構成される。アラインメント用タブ部１０４は、スリーブ１１２と同じ材料、または十分に柔軟な別の材料から構成され得る。タブ部１０４が図１において長方形状として示されているが、どのような形状でも良く、結合するスリーブ１１２よりも幅広くても狭くても良い。
【００１２】
図２は、患者の腕１５０にカフ１００を位置決めする方法を概略的に示すものである。図２に示されるように、タブ部１０４のエッジ１２６は、患者の上腕動脈１５２の接線方向に沿って配置される。カフ１００は、空気室１０２が患者の上腕動脈に交差するように腕１５０周りに巻かれ、次いでこのカフ１００は、フック及びループ部１２２及び１２４を互いに接合することにより固定される。使用者が適切にカフを配置し、空気室１０２の適当な幅を上腕動脈に沿ってカフ１００を位置決めする方法が容易であることが重要である。
【００１３】
アラインメント用タブ部１０４は、カフ１００が対象とする患者の腕周囲に亘る長さによって調整される。患者の腕１５０周りに巻かれる前記アラインメント用タブ部１０４の長さは、患者の腕周囲が特定のサイズのカフ１００によって対応される最小値に等しい場合に、空気室１０２の狭い長方形部分１０６が上腕動脈１５２に交差するようになっている。同様に、タブ部１０４は、患者の腕の周囲が特定のサイズのカフ１００によって対応される最大値に等しい場合に、幅広い長方形部分１１０が上腕動脈１５２に交差し、患者の腕周囲がカフ１００のサイズによって対応される限度内に入る場合に、直線テーパー部１０８の適切な割合の一部分が上腕動脈１５２に交差するようになっている。このデザインが保証するのは、空気室の幅（空気室が上腕動脈１５２に交差する場所において）と腕周囲に対する割合において、腕の周囲がカフ１００のサイズにより対応される範囲内に収まる場合に、腕周囲に対して望ましい空気室の幅の割合で維持されるということである。加えて、タブ部１０４及び空気室１０２の長さは、腕周囲がカフ１００のサイズにより特定された境界内に入る場合に、空気室１０２がお互いに重なり合うことなく患者の腕１５０を取り巻くようになっている。
【００１４】
従って、下記に提供される表に示されるように、前記タブ部１０４の長さと空気室１０２の狭い長方形部分１０６の長さを合計すると、前記カフ１００の最小腕周囲長ということになる。その合計は、タブ部１０４の第２端部１２７から空気室１０２の狭い長方形部分１０６のエッジ１０７まで、約１センチメートルの距離または隙間１１１があるため、患者の最小腕周囲長と同じではない。従って、タブ部１０４のエッジ１２６から遷移部１０９までの長さ、空気室１０２の狭い長方形部分１０６から空気室１０８のテーパー部１０８までの長さは、前記カフのに最小腕周囲長にほぼ等しくなる。タブ部１０４、狭い長方形部分１０６、及び隙間１１１の長さにおける変化の度合いは、タブ部１０４のエッジ１２６から遷移部１０９までの合計の長さが前記カフのほぼ最小腕周囲長となるように規定されることは、当業者であれば認識するだろう。「ほぼ」または「実質的に」という用語は、本明細書において「約」または「大体」という意味で使用され、製造上の公差とばらつきを調整するために使用される。よって、本明細書において使用されるように、「ほぼ」または「実質的に」という用語は、５％以内であることを意味する。下記の表は、腕周囲に亘る特定の長さに対して、前記カフ１００の部分サイズの一例を提供する。表で使用されている参照番号は図１を参照するが、その表は下記に記載される図３の実施形態に等しく当てはまるものである。前記表内で提供される全ての数字はセンチメートル単位である。
【表１】
0006426412.tif 000002
【００１５】
上記の表において、前記テーパーは直線テーパーである。そのようにテーパーの長さに沿う空気室の幅は、一般に知られている直線の公式：Ｙ＝ｍ＊Ｘ＋ｂで、ｍは傾きに等しく、ｂはＹ軸の切片に等しい。テーパー部の線の公式を計算するために、空気室の設定値はグラフ上で配列される。直線の公式上の２点は、Ｙ軸上の１点目としてＸ軸上の２センチメートル点における空気室の狭い部分の半分の幅で、Ｙ軸上の２点目としてＸ軸上の６センチメートル点における空気室の広い部分の半分の幅で決定される。前記幅の片側半分は、空気室の半分がＸ軸上側にあり、空気室の半分はＸ軸下側となるように使用される。その方程式を解くと、Ｙ＝０．２４５＊Ｘ＋４．６７５として定義され、上記に特定される小さなカフの空気室のテーパー部の線がわかる。図４〜６は、上記に示すように、寸法が小、中、及び大のカフの空気室部分のグラフを示す。さらに、狭い長方形部分１０６の幅及び広い長方形部分１１０の幅は夫々、公式：Ｗ＝（Ｃ−ＬＯＧ（Ｃ）／２；においてＣ＝患者の腕周囲、及びＷ＝特定の周囲に対するテーパー部の幅により計算される。
【００１６】
図３は、空気室２０２及びアラインメント用タブ部２０４も含む血圧カフ（ｂｌｏｏｄ  ｐｒｅｓｓｕｒｅ  ｃｕｆｆ）２００の他の実施形態の概略図を示す。この実施形態のカフ２００は、空気室２０２が狭い長方形部分２０６と広い長方形部分２１０の間で湾曲テーパー部２０８を含むこと以外はカフ１００と類似している。適切な湾曲は次の公式：Ｗ＝（Ｃ−ＬＯＧ（Ｃ））／２；においてＣ＝患者の腕周囲、及びＷ＝特定の周囲に対するテーパー部の幅として定義される。従って、上記の直線テーパー部の表では狭い長方形部分と広い長方形部分の空気室の幅において上記の公式が使われる一方で、下記の表は夫々の幅の公式を使用する。図７〜９は、上記の公式に従った空気室を示す表である。それ以外では、カフ２００は、カフ１００に類似する。空気室２０２は、スリーブ２１２内に収納され、チューブ２１４を通って空気注入可能であり、ボール２１６を絞り出す。第２のチューブ２２０は、空気室２０２の内ポケットに接続される第１の端部及び圧力計（図示せず）に接続される第２の端部（図示せず）を有する。空気室２０２、タブ部２０４、及びスリーブ２１２の形状及び材料は、上記の最初の実施形態に概要された通りである。加えて、図３は、カフ２００上で相反するフックとループ部２２２及び２２４が含まれることを示すが、カフ２００を患者の腕周りにそれ自体を固定できるのであれば、他のいかなる手段でも使用可である。カフ２００は、図２で示されるように、また上述の議論と同じ方法で患者の腕に取り付けられるようになっている。
【００１７】
直線テーパーおよび湾曲テーパーの特定の実施形態は上記のように示されるが、当業者であれば、他の直線テーパーまたは湾曲テーパーでも利用可能であるということを認識するだろう。例えば、上述の直線テーパーの実施形態では、動脈を覆う空気室と患者の腕周囲長の割合はおよそ４７％である。前記空気室のテーパーのデザインは、望ましいどのような割合にも適合するように調整され得る。実施例であって、限定されることはないが、血圧カフ（ｂｌｏｏｄ  ｐｒｅｓｓｕｒｅ  ｃｕｆｆ）の空気室は、次のカフ及び空気室の寸法を使用することにより４０％の割合に適合するように構成されている（全てセンチメートル）。
【表２】
0006426412.tif 000003
0006426412.tif 000004
【００１８】
腕周囲に対する空気室の幅、空気室の狭い長方形部分の長さ、及び前記タブ部の長さの望ましい割合には多様性があり、上述の配置方法を使って、夫々の腕周囲に対応するように空気室の望ましい幅が作られ得るということは、当業者であれば認識するだろう。
【００１９】
本発明による様々な実施形態は上記に説明されてきたけれども、それらは単なる説明及び実施例の目的で示されることを理解されるべきである。発明の主旨及び範囲から逸脱することなく、形式及び詳細における様々な変更が本明細書の中で生じ得るということは、関連分野の当業者にとっては明確であるだろう。本明細書の中で及び明細書の中に引用された夫々の文献で論議された夫々の実施形態の夫々の特性は、他のいかなる実施形態の特性との組み合わせにより使用される可能性がある。本明細書の中で議論された全ての特許及び公報は、この参照によりその開示全体が本明細書に組み込まれたものとする。
【図１】
0006426412.tif 000005
【図２】
0006426412.tif 000006
【図３】
0006426412.tif 000007
【図４】
0006426412.tif 000008
【図５】
0006426412.tif 000009
【図６】
0006426412.tif 000010
【図７】
0006426412.tif 000011
【図８】
0006426412.tif 000012
【図９】
0006426412.tif 000013